(57)【要約】【課題】滑りやすい路面に打ち勝つ優れた静止摩擦及び優れた長期摩耗を有する静止摩擦具を提供すること。【解決手段】足元で安定し、また、滑りやすい路面上における優れた静止摩擦と優れた長期摩耗とを提供する静止摩擦機構を含む個人用静止摩擦具が提供される。【選択図】図１
2012515617.tif 000002
【特許請求の範囲】
【請求項１】
エラストマ部材と、
前記エラストマ部材に接続された、細長いセグメントを有するケーブル組立体と
前記セグメントの滑り止めであって、
中心軸を有する通路が伸び、また、前記滑り止めが前記セグメントにおいて回転可能であるように通路が前記セグメントに適合する細長いコアと、
前記コアから半径方向に伸びる突起であって第１の傾斜面を含み、該第１の傾斜面が前記通路の中心軸に対して傾斜し、これにより前記突起が刃を持つ第１のエッジへと先細になるように前記突起を形状付ける突起とを備える滑り止めとを含む、静止摩擦具。
【請求項２】
前記滑り止めは、前記コアから半径方向へ伸びる少なくとも３つの間隔を置かれた突起を含み、前記第１の傾斜面は前記突起の少なくとも１つの上にある、請求項１に記載の静止摩擦具。
【請求項３】
前記コアから半径方向へ伸びる前記間隔を置かれた突起のうちの２つは、前記通路の中心軸に対して傾斜する第２の傾斜面を含む、請求項２に記載の静止摩擦具。
【請求項４】
前記２つの突起のそれぞれの第２の傾斜面は刃を持つエッジへと先細るように関連の突起を形状付け、これにより、前記滑り止めに刃を持つ少なくとも３つのエッジを与える、請求項３に記載の静止摩擦具。
【請求項５】
前記滑り止めは、前記突起の１つに、前記第１の傾斜面に交わって最外方のエッジを有するくさびとして前記突起を形状付ける第２の傾斜面を含む、請求項２に記載の静止摩擦具
【請求項６】
前記くさびの最外方のエッジは、前記通路の中心軸に対して傾斜している、請求項５に記載の静止摩擦具。
【請求項７】
前記滑り止めは４つの突起を含み、該突起の第１の対のそれぞれが前記コアから半径方向へ伸び、また、前記通路の中心軸に対して傾斜する第１の傾斜面を含み、これにより前記突起が刃を持つ第１のエッジへと先細るように関連の突起を形状付け、
第２の対の突起のそれぞれが前記通路の中心軸線に対して傾斜する最外方のエッジを有するくさびを規定するように形状付けられている、請求項１に記載の静止摩擦具。
【請求項８】
前記突起は、平面上に前記滑り止めを支持するために第１の共通の面内に第１の組の３つの鋭利な点を与えるように構成されかつ配列されている、請求項７に記載の静止摩擦具。
【請求項９】
前記突起は、２つの面の間に安定的に支持され得るように前記第１に実質的に平行な第２の共通の面内に第２の組の３つの鋭利な点を与えるように構成されかつ配列されている、請求項８に記載の静止摩擦具。
【請求項１０】
さらに、少なくとも１つのセグメントにおいて通されかつ前記滑り止めに隣接して配置された複数のスペーサを含む、請求項１に記載の静止摩擦具。
【請求項１１】
前記スペーサは円筒状を呈し、また、滑り止めが前記セグメントから伸びる最大距離よりも小さい距離を前記セグメントから伸びる、請求項１０に記載の静止摩擦具。
【請求項１２】
前記通路は、前記コアの相対する端面間を伸び、また、前記第１の傾斜面は前記端面の１つからなる、請求項１に記載の静止摩擦具。
【請求項１３】
前記滑り止めにステンレス鋼が含まれる、請求項１に記載の静止摩擦具。
【請求項１４】
各突起は、平坦で平行な相対する側面を含む、請求項１に記載の静止摩擦具。
【請求項１５】
エラストマ部材と、
前記エラストマ部材に接続された、細長いセグメントを有するケーブル組立体と、
前記セグメントにおける滑り止めであって、
細長いコアであって該コアの相対する端面間を、中心軸を有する通路が伸び、また、前記滑り止めが回転可能に支持されるように前記通路が前記セグメントに適合するコアと、
前記コアから半径方向に伸びかつ２つの傾斜面を有する突起であって前記２つの傾斜面が前記通路の中心軸に対して傾斜し、最外方のエッジを有するくさびとして前記突起を規定するように交わる突起とを含む、静止摩擦具。
【請求項１６】
前記くさびの最外方のエッジは、相対する端面間に位置し、また、前記中心軸に対して傾斜している、請求項１５に記載の静止摩擦具。
【請求項１７】
前記滑り止めは、さらに、前記コアから半径方向に伸びる第２の突起を含み、また、第２の傾斜面であって前記通路の中心軸に対して傾斜しており、これにより前記突起が刃を持つ第１のエッジへと先細るように前記第２の突起を形状付ける第２の傾斜面を含む、請求項１５に記載の静止摩擦具。
【請求項１８】
静止摩擦具に用いられる滑り止めであって、中心軸を有する通路が伸びる細長いコアと、
前記コアから半径方向に伸びかつ第１の傾斜面を含む突起であって前記第１の傾斜面が前記通路の中心軸に対して傾斜しており、これにより前記突起が刃を持つ第１のエッジへと先細るように前記突起を形状付ける突起とを含む、滑り止め。
【請求項１９】
前記滑り止めは４つの突起を有し、また、該突起の第１の対のそれぞれは前記コアから半径方向へ伸び、前記通路の中心軸線に対して傾斜する第１の傾斜面を含み、これにより前記突起が刃を持つ第１のエッジへと先細るように関連の突起を形状付け、
また、第２の対の突起のそれぞれは、前記通路の中心軸に対して傾斜する最外方のエッジを有するくさびを規定するように形状付けられている、請求項１８に記載の静止摩擦具。
【発明の詳細な説明】
【技術分野】
【０００１】
本発明は、靴底の静止摩擦を増大するための静止摩擦機構が靴底に広がるように靴又はブーツのような履物に装着可能である個人用の静止摩擦具に関する。
【背景技術】
【０００２】
氷又は雪で覆われた路面上を歩行するときの静止摩擦を増大するために、靴、ブーツ等に取り付け可能である様々な個人用の静止摩擦具がある。
【０００３】
これらの静止摩擦具は、ブーツの爪先部分と踵部分とを把持するように構成された伸縮可能の取付用ひもを含むことが多い。静止摩擦機構は前記ひもに接続され、また、通常は足の踵部分及び中足骨部分下に横たわる靴底の近傍にあってブーツの靴底を横切って伸びる鎖、金属製の釘が埋め込まれた可撓性材料、又は粗面若しくは不規則面を有する他の材料の形態をとる。
【０００４】
このような静止摩擦具を設計するときには数多くの要因を考慮しなければならない。例えば、外方に突出する金属製スパイクのような極めて良好な静止摩擦を提供する機構は急速な摩耗に悩まされ、あるいは、長時間にわたって歩くには、特に歩行面が乾燥した硬い面と氷又は雪の固まった面との間で変化する環境においては、不便である。また、交差する可撓性のある紐等にスパイク又は針のような金属製の材料を耐久性があるように取り付けることは困難である。このため、前記静止摩擦具のコスト及び複雑性を必然的に増大させる、外れた又は摩耗したスパイクを交換することを提案するものがある。
【０００５】
比較的薄型の鎖又はコイルに巻かれたスプリング状部材のような、靴又はブーツの底にわたって伸びる機構はユーザに便利であるが、これは、典型的には、積極的な静止摩擦特性をほとんど有しない。
【発明の概要】
【発明が解決しようとする課題】
【０００６】
本発明は、足元に非常に快適な静止摩擦機構を提供する個人用静止摩擦具に向けられ、また、滑りやすい表面に打ち勝つ優れた静止摩擦及び優れた長期摩耗を提供する。
【図面の簡単な説明】
【０００７】
【図１】ブーツに取り付けられて示された本発明に係る個人用静止摩擦具の斜視図である。
【図２】個人用静止摩擦具の前部すなわち爪先の組立体要素の平面図である。
【図３】個人用静止摩擦具の後部すなわち踵の組立体要素の平面図である。
【図４】個人用静止摩擦具の滑り止め要素の一例の拡大斜視図である。
【図５】図４の滑り止めの端面図である。
【図６】静止摩擦具の一部を示す側面図である。
【図７】個人用静止摩擦具の滑り止め要素の他の一例の拡大斜視図である。
【図８】図７の滑り止めの端面図である。
【図９】図８の線９−９に沿って得られた側面図である。
【図１０】図８の線１０−１０に沿って得られた側面図である。
【発明を実施するための形態】
【０００８】
図１はブーツ２２に取り付けられた静止摩擦具２０を示す。全体にリングの形状を呈するエラストマ部材２４が、前記ブーツの底の上方において前記ブーツの周りに引き伸ばされている。この部材２４の弾性と、前記部材及び前記ブーツ間の摩擦とが前記部材を所定位置に確保する。
【０００９】
エラストマ部材２４は、いくつかの下方に向けて突出するタブ２６と共に形成されている。各タブ２６は、後に詳述するように、靴の底（底面）を横切って伸びるケーブル組立体３０，３２のコネクタ輪２８を受け入れるための開口と共に形成されている。
【００１０】
図２は個人用静止摩擦具の前部すなわち爪先のケーブル組立体３０の平面図である。この組立体は、点線で示されまた好ましくは０．０６２５インチ（１．６ｍｍ）の直径を有する単一長さのステンレス製ワイヤロープ３４を含む。ロープ３４の両端部は重ね合わされかつ圧着３６により留められている。
【００１１】
また、前記ロープに２つの間隔をおかれた前部コネクタ環４０を規定するために前記ロープの前部の近くの２つの場所に圧着３８が適用されている。これらの環のそれぞれは、エラストマ部材２４の各タブ２６から伸びる前記したコネクタ輪２８の一つにより捕捉される。
【００１２】
同様に、前記ロープに２つの間隔をおかれた後部コネクタ環４４を規定するために前記ロープの後部の近くの２つの場所に圧着４２が適用されている。これらの環のそれぞれもまた、エラストマ部材２４のタブ２６から伸びるコネクタ輪２８により捕捉される。
【００１３】
引き続き図２を参照すると、ワイヤロープ３４の全体は４つのセグメントを有すると考えることができ、各セグメントがコネクタ環間を伸びている。例えば、一の横断セグメント４６が前部コネクタ環４０間を伸びている。他の横断セグメント４６が後部コネクタ環４２間を伸びている。前後方向のセグメント４８が前部コネクタ環４０と、後部環４４との間を前記組立体の各側部において伸びている。
【００１４】
図２に見られるように、これらのセグメントは、２つの前後方向のセグメントが前記組立体の長い中心線５０（前記組立体が取り付けられる前記ブーツの中心線に対応する中心線）に沿って、しかしこれとは非平行に伸びるように全体に台形の形状に配列されている。２つの横断セグメント４６は、全体に中心線５０を横切りかつこれと直角に伸びている。
【００１５】
ワイヤロープ３４の各セグメントは、スペーサ７０が各滑り止め５２間に置かれるように前記ワイヤロープに張られ又は通された複数の滑り止め５２と複数のスペーサ７０とを備える。図４及び図５は、それぞれ、本発明にしたがって形成された滑り止め５２の実施形態の詳細の拡大された斜視図及び端面図で示す。
【００１６】
特に、図４及び図５の実施形態に示された各滑り止め５２は、ステンレス鋼のような耐久性のある金属で形成され、全体に十字形をなす。前記滑り止めは、円形の貫通する通路５４であって該通路を摺動する前記ワイヤロープの直径よりわずかに大きい直径（例えば、０．０７８インチ又は２．０ｍｍ）を有する通路５４を含む。したがって、前記ワイヤロープが通された滑り止めはロープ３４の周りに回転することができる。
【００１７】
十字形状の滑り止め５２は、２つの面が出会ういくつかのエッジを含む。例えば、図４及び図５に示すように、前記滑り止めの第１のエッジ５６は、５８及び６０で示された２つの面の接合部により規定されている。他のこのようなエッジ５６’が５８’及び６０’で示された他の面の接続部により規定されている。注目すべきは、この対の第１のエッジ５６，５６’は互いに平行であり、また、図５の「地表」の線６２により示されている、共通の平面内にある。
【００１８】
滑り止め５２はその中心に関して対称である。したがって、第１の対５６，５６’と対をなすがこれに相対する第２のエッジ６４，６４’は前記滑り止めの相対する側部に規定されている。これらのエッジ６４，６４’はそれぞれ面７４，７６及び７４’，７６’の接続部により規定され、また、同様に、図５の「靴底」の線６６により示された共通の面内に配置されている。平面６６は、相対する平面６２と平行である。
【００１９】
図５に示すように、第１の組のエッジ５６，５６’の形態は、図５に矢印「Ｄ」により示されているように下方向を指し示すように、これらのエッジを方向付ける。これに関して、エッジ５６，５６’を形成する２つの面間の角度を分岐する線は前記エッジが「指し示している」方向に整列されている。したがって、図５において、両エッジ５６，５６’は平面６２に直角な下方向「Ｄ」を指し示している。
【００２０】
滑り止め５２の反対側において、図５に示すように、第２の組のエッジ６４，６４’は、これらのエッジが配置される平面６６に直角な図５における矢印「Ｕ」により示されこれらのエッジが上方を指し示しているように、方向付けられている。
【００２１】
図５に示された前記滑り止めをさらに考察すると、下方又は地表の平面６２は、図１に示すようにブーツの底に固定されるときに滑り止め５２が耐える表面（氷で覆われた歩行路面のような）であると考えられる。相対する平面６６は、この場合には、ブーツ２２の底面又は靴底に対応する。
【００２２】
その結果として、前記静止摩擦具の全ての滑り止めは、装着者の重量によって靴底６６と地表面６２との間で圧迫されるとき、優れた静止摩擦を提供するために氷面に押し付けられる下方を指し示す鋭利なエッジ対を有する。この点について、前記滑り止めの形態は（前記したように）、２つの平面（図５）間で圧迫されるときに前記滑り止めが安定的均衡位置を取るようにしたものである。特に、前記滑り止めは、前記下方の面に乗り又はこれを指し示すように一対のエッジを向けるのに十分な量によってロープ２４の周りに回転し、また、反対側の一対のエッジが前記上方の平面を指し示し又はこれと係合する。
【００２３】
一実施形態において、前記滑り止めの最外方の半径方向面、例えば面６０’はわずかにアーチ形又は凸形に湾曲するように形成され、湾曲は前述したその安定的均衡方向に到達する前記滑り止めの傾向を助長する。しかし、これらの面は平坦であってもよく、また、前記滑り止めは、２つの全体に平行な平面間で圧迫されるときになおその安定的均衡方向（図５）へ動くとも考えられる。
【００２４】
前記したように、図５に示された前記滑り止めが４つの異なる位置のうちの任意の１つにおいて安定的均衡方向をとるように、前記滑り止めは対称である。すなわち、前記滑り止めは、図５に示されたものを超えて９０度の任意の整数倍を回転されるときに安定的均衡方向をとる。言い換えると、第３の対のエッジ８０，８０’と相対する第４の対のエッジ８２，８２’とは、前記滑り止めが図５に示す方向から９０度回転した場合、前述した第１および第２のエッジの対と同じように機能するように、滑り止め５２において形成されている。
【００２５】
注目すべきは、上方を指し示す前記滑り止めのエッジ（図５におけるエッジ６４，６４’）の効果が、前記反対側のエッジが滑りやすい面６２を直接に指し示す位置において前記滑り止めを安定的にするのに役立つことに加えて、靴の底面に向けて指し示された切断エッジを提供することにある。これらのエッジは、前記滑り止めと前記靴底との間で時々動く氷、雪及び他の破片を突っ切る傾向にある。この点において、前記上方を指し示す滑り止めのエッジは、前記静止摩擦具への望ましくない物質の積層を防止するための自浄化作用を提供する。
【００２６】
図示の滑り止めは９０度の角度を規定する隅部を有するが、これらの隅部は、図５に点線８８で示されているように、凹曲面として形成してもよい。
【００２７】
前記滑り止めの相対する両端面９０は平面からなり、また前記滑り止め内の通路５４の長軸線に対して垂直な平面内にある。当然のことであるが、両端面９０がエッジ（図４に示されたエッジ５６’又は６４’）と交わるところにおいて、前記滑り止めに比較的鋭利な点９２が規定される。結果として、前記滑り止めの各端部は関連する８つの鋭利な点９２を有する。前記滑り止めが保持された前記ワイヤロープは、不規則な路面、歩行運動等に適応するようにわずかに曲がることが可能である。結果として、前記滑り止めの多数の鋭利な点９２は、静止摩擦を高め、滑りを防止し、あるいは前述したエッジにより与えられる静止摩擦を補うために氷面に食い込む。
【００２８】
前記した複数のスペーサ７０（図１、図２及び図６参照）は、中空の円筒状部材からなり、好ましくはステンレス鋼で形成されている。図６に示すように、前記スペーサの外径は滑り止め５２の最大横断面幅よりかなり小さい。その結果として、前記滑り止めの多数の鋭利な点９２は、前記滑り止めがこのようなスペーサなしに互いに隣接してワイヤロープに通されている場合より、はるかに大きい程度で露出される。
【００２９】
図３は、前記個人用静止摩擦具の後部すなわち踵ケーブル組立体３２の平面図である。この組立体は、０．０６２５インチ（１．６ｍｍ）の直径を有しまた点線で示された単一長さのステンレス製ワイヤロープ９４を含む。ロープ９４の両端は圧着９６により結びつけられている。この組立体は、つま先ケーブル組立体３０に関して前述したように構成されかつ配列された、交互に並ぶ複数の滑り止め５２及びスペーサ７０を含む。
【００３０】
先端環９８が前記三角形状の踵組立体の３つのコーナーのそれぞれにおいて前記ワイヤロープに通されている。これに代えて、前記組立体の形状を規定しかつ安定化させるためにこれらの環に代えてまたはこれらの環に加えて、圧着を用いることができる。各先端環９８は、エラストマ部材２４の各タブ２６から伸びる対応コネクタ輪２８により捕捉されている。
【００３１】
引き続き図３を参照すると、ワイヤロープ９４は全体に３つのセグメントを有すると考えることができ、各セグメントは先端環９８間で伸びている。
例えば、前記組立体の横断セグメント１００は２つの前方先端環間を伸びる。
【００３２】
図７ないし図１０は、本発明の滑り止め要素の他の実施形態を示す。この滑り止め１５２は、例えばステンレス鋼を含む耐久性のある材料で形成されている。滑り止め１５２は、全体に十字の形状からなり、中心コア部１５３を有すると考えることが可能である。前記滑り止めのコア１５３は、平坦な、相対する端面１６０を有し、また、前記コアを貫通させて形成された円形の貫通する通路１５４であって該通路を経て摺動する前記ワイヤロープの直径よりわずかに大きい直径（例えば２．０ｍｍ）を有する通路１５４を備える。
【００３３】
この通路１５４（前述した通路５４に似ている）は、参照のための線１５５として各図に示されているような中心軸を含む。
【００３４】
４つの間隔を置かれた突起１５７，１５９，１６１，１６３が滑り止め１５２のコア１５３から半径方向外方へ伸びている。これらの突起は、互いに等しい間隔を置かれ、また、全体に板状の部材からなり、好ましくは、通路１５４よりわずかに大きい厚さ（図８）を有する。
【００３５】
この実施形態において、前記突起のいくつかは、鋭利な刃を持つエッジ１６５を有するように形状付けられている。刃を持つこれらのエッジは、説明のため、９０度より小さい角度で交差する複数の面で形成されている。本実施形態において、刃を持つこれらのエッジは、直径方向に相対する突起１６１，１６３（図７及び図１０参照）に設けられている。
【００３６】
刃を持つ各エッジ１６５は２つの面の接合により形成され、前記２つの面の一方は面１６７からなり、該面はこれが前記滑り止めの中心軸１５５に対して斜め（すなわち平行でも直交でもない）をなすように傾斜するように形成されている。この実施形態では、傾斜面１６７は前記滑り止めのコアの端面１６０（図１０）の延長と交わっている。好ましい実施形態において、各突起１６１，１６３は２つの傾斜面１６７と関連する複数の先細部とを有し、これにより前記突起の相対する端部のそれぞれに刃を持つエッジ１６５を規定する。
【００３７】
単一の傾斜面が前記滑り止めの長さに沿って伸びるように形成され、これにより、前記滑り止めの一端に単一の刃を持つエッジを規定することが考えられる。
さらに、また、前記滑り止めは、前記中心軸に対して傾斜するように方向付けられ、これにより前記突起にテーパを付与しかつ刃を持つエッジを形成する前記傾斜面としての役目を果たす前記滑り止めの端面１６０を有するように形成され得ることが期待される。（例えば、図４において、滑り止め５２の端面９０が通路５４の前記中心軸に対して傾斜するように形成され、これにより、エッジ６０に、本実施形態において述べたような刃を持つエッジを規定する。）
【００３８】
ここで注目すべきは、前記した刃を持つ複数のエッジ１６５が、静止摩擦を向上させるために、氷で覆われた表面への食い込みに特に有用であることである。さらに、４つの突起の全てが１又はそれ以上のこのような刃を持つエッジを有するように形成されることが可能である。しかし、好ましい実施形態においては、他の相対する対の突起１５７，１５９（図７参照）のそれぞれがくさび１６９を規定するように形状付けられている。説明のため、１つのくさびは、２つの面間に９０度又はそれ以上の角度をもつ２つの面の接合の結果得られる形状と考えられる。本実施形態において（特に図９参照）、くさび１６９は、前記突起の相対する端部から伸び、これら端部間の中途を接合し、前記くさびの鋭利な最外方のエッジ１７１を規定する２つの傾斜面により形成される。
【００３９】
図７ないし図１０に示す実施形態の前述の説明を考慮して、突起１５７，１５９，１６１，１６３は、刃を持つ相対するエッジ１６５を有するように形状付けられた各突起１６１，１６３が、中心最外方エッジ１７１として形状付けられた突起１５７，１５９に隣接するように、中心軸１５５（図７）の周りに配列されている。これらの突起をこのように交互に配列する利点の１つは、刃を持つエッジが４つの全ての突起に形成される場合におけるよりも前記滑り止めの耐久性を増大させるために前記滑り止めの断面（すなわち軸１５５に沿った）内に十分な材料を維持することである。
【００４０】
さらに、例えば、この実施形態におけるように、前記複数の突起が同一の距離を半径方向外方へ伸びるように寸法を定められている場合（図８参照）、刃をもつ隣接するエッジ１６５とくさび形エッジ１７１とが、共通の平面内に配置されこれにより滑り止め１５２を１つの平坦面上に安定的に支持する３つの三脚点（図７に１７５で示されている）を与える。
【００４１】
点１７５の同様の三脚配置が滑り止め１５２の４つの側部に提供される（すなわち９０度の間隔で）ことは理解されよう。結果として、滑り止め１５２は、装着者の重量によって靴底と地面との間で圧迫されるとき（これらの面は、例えば図５に６２及び６６で示されている）、優れた静止摩擦を与えるために氷面内に押し付けられる下方に面する鋭利な点１７５の三脚と、靴の底に係合する上方に突出する鋭利な点１７５の三脚を提供する。
【００４２】
図示されまた説明された前記実施形態は、本発明を精緻なもの又は開示された精密な形態に限定することを意図しない。前記実施形態は、本発明の原理とその適用及び実用的用途とを説明するために選択されまた記載され、これにより、他の当業者が本発明を利用することを可能にする。したがって、特許請求の範囲になお含まれる好ましい実施形態に対しての変更がなされよう。
【００４３】
例えば、各ケーブル組立体は、より多くの又はより少ないセグメントを有するように変更され、あるいは本明細書に記載された台形又は三角形以外のパターンに配列されることがあろう。また、前記取り付け用吊り金具に従属するタブに、前記ワイヤロープ上の前記環への取り付けのための１又はそれ以上の輪を捕捉するリベットが設けられることがあろう。このような輪は曲げられか、あるいは前記タブからワイヤロープへの接続がブーツ全体に円滑に乗るように配列されよう。さらに、前述した滑り止め１５２の構成の利点の多くは、（４つよりもむしろ）たった３つの等間隔の突起が採用される場合に得ることが可能であろう。
【符号の説明】
【００４４】
２０  静止摩擦具
２２  ブーツ
２４  エラストマ部材
２６  タブ
２８  コネクタ輪
３０，３２  ケーブル組立体
３４  ワイヤロープ
３６  圧着
５２，１５２  滑り止め
【図１】
2012515617.tif 000003
【図２】
2012515617.tif 000004
【図３】
2012515617.tif 000005
【図４】
2012515617.tif 000006
【図５】
2012515617.tif 000007
【図６】
2012515617.tif 000008
【図７】
2012515617.tif 000009
【図８】
2012515617.tif 000010
【図９】
2012515617.tif 000011
【図１０】
2012515617.tif 000012
【国際調査報告】
2012515617.tif 000013